(57)【要約】【課題】ケーブルを挟持固定出来、従来の床板のケーブル貫通穴とケーブルとの間隙を塞ぐゴムカバーとを一体化させ、また、一部の床板の構成を有し、Ｔ型ケーブル端末の高さを下げることが出来るケーブルクリートを提供する。【解決手段】クリート前側体４とクリート後側体５を設け、クリート前側体４の正面の下部を延伸させて略四角形状の床板部８とし、ベース１６の開口した上面上に鋼板１７を渡し、開口面からケーブルＣを立ち上げ、クリート後側体５のケーブル貫通孔にケーブルＣの後側部を嵌め入れ、ケーブルＣの前側部にクリート前側体４のケーブル貫通孔を押し当て、クリート前側体４、クリート後側体５、鋼板１７を一体に締め付けてケーブルＣをクリート後側体５、クリート前側体４のケーブル貫通孔の内周に密着挟持し、床板部８の先端縁をベース１６の前端縁上に係止して開口面を閉鎖し、機器収納スペースを密閉する。【選択図】図１
2008005578.tif 000002
【特許請求の範囲】
【請求項１】
路上に設置される電力配電用機器収納用の外箱内で地中から立ち上げられたケーブルを前後で挟んで固定するケーブルクリートにおいて、
上記ケーブルを前側から押えつけるものをクリート前側体とし、後側で当該ケーブルを受けるものをクリート後側体として設け、上記クリート前側体の正面の下部を前方へ一定長延伸させて扁平な平面略四角形状の床板部として設け、
上記外箱内下部のベースの開口した上面上であって当該外箱のフレームの左右の下部に水平に渡して設けられた細長の板状部材から後側の開口面を別設の板体で閉鎖し、当該板状部材より前側の開口面から三本のケーブルを横並びに立ち上げ、
上記水平に渡された板状部材の正面に、上記クリート後側体の背面を当て、当該クリート後側体の内面側に横並びに３個設けられた半円筒形状のケーブル貫通孔に、上記立ち上げた三本のケーブルの後側部を嵌め入れ、当該各ケーブルの前側部に上記クリート前側体の内面側に横並びに３個設けられた半円筒形状のケーブル貫通孔を押し当て、当該クリート前側体、クリート後側体及び上記板状部材をボルト、ナットにより一体に締め付けて当該各ケーブルを当該クリート後側体及びクリート前側体の各半円筒形状のケーブル貫通孔の内周に密着させて挟持固定し、
当該クリート前側体の床板部の先端縁を上記ベースの前側の開口面の前端縁上に係止固定して当該開口面を閉鎖し、当該外箱内の機器収納スペースを密閉することを特徴とするケーブルクリート。
【請求項２】
上記ケーブルクリートの各ケーブル貫通孔に各ケーブルを嵌め入れる際に、当該ケーブルの外周に円筒形状のスペーサーを被覆し、当該スペーサーを介して上記ケーブルクリートのケーブル貫通孔にケーブルを嵌め入れ、さらに、径が異なる複数種のスペーサーを用意し、上記ケーブルクリートの各ケーブル貫通孔の内周と各ケーブルとの外周の間隙に応じて上記スペーサーを上記ケーブルの外周に単独又は複数重ねて被覆して上記ケーブルクリートによってケーブルを挟持固定することを特徴とする、上記請求項１に記載のケーブルクリート。
【請求項３】
上記クリート前側体の床板部の上面に前端縁、及び左右端縁を残して平面略四角形状の凹部を設け、当該ケーブルクリートによってケーブルを挟持固定し、当該ケーブルクリートのクリート前側体の床板部によって上記ベースの前側の開口面を閉鎖する際、当該床板部の上面の凹部に別途設けた平面略四角形状の金属板を嵌合することを特徴とする、上記請求項１又は２の何れかに記載のケーブルクリート。
【請求項４】
上記クリート前側体の左右側面の下部及び床板部の左右側面の下部に水平に連続した突条を夫々設け、当該クリート前側体の水平な突条に連続して、上記クリート後側体の左右側面の下部に水平な突条を夫々設け、
上記外箱内で上記ケーブルクリートを複数使用して三相のケーブルを複数組挟持固定し、当該ケーブルクリートで上記ベース上面の開口面を閉鎖した際、隣接する各ケーブルクリート間の間隙を、当該各ケーブルクリートの各側面の水平な各突条が接触して相互に押圧し合って閉鎖し、また、上記ベースの開口面の左右側端縁と上記ケーブルクリートの各側面との間隙を、当該ケーブルクリートの水平な各突条が当該ベース上面の左右側端縁上に係止されて閉鎖することを特徴とする、上記請求項１、２又は３の何れかに記載のケーブルクリート。
【発明の詳細な説明】
【技術分野】
【０００１】
この発明は、電力配電用の機器が収められた外箱内において、立ち上げられたケーブルを支持固定するケーブルクリートに関するものである。
【背景技術】
【０００２】
近年、社会的に、安全上、景観上を理由に電力配電用の路上設置機器の高さを低減させる要請が強まっている。その一方、電力供給信頼度向上のためＩＴ（Information Technology）による自動化、温暖化抑制のためのＳＦ６ガス不使用のための気中化等により、上記路上設置機器内の占有スペースは増大する傾向にある。そんな中、上記要請に対応する方策として前面横並びに出来、作業性、保守性に優れているＴ型ケーブル端末を使用して当該Ｔ型ケーブル端末の高さを低くする方法が考えられる。
【０００３】
図２３は、従来のケーブルクリートを使用してケーブルを挟持固定した状態を示す外箱内の一部断面図であるが、この図に示すように、上記機器収納用の外箱Ｂの下部のベース１６上面には多数の鋼板製の床板３１を敷き詰め、当該床板３１に設けたケーブル貫通穴の周囲を若干立ち上げて環状の突縁を設け、地中から伸ばされたケーブルＣをこのケーブル貫通穴を通して外箱Ｂ内に立ち上げ、当該ケーブルＣの先端から、略円錐形状のゴムカバー３２を被せた後、当該ゴムカバー３２によって、上記ケーブル貫通穴と当該ケーブルＣとの外周の間隙を密閉できる位置で当該ゴムカバー３２を水平に切断し、さらに、当該ゴムカバー３２を上記ケーブル貫通穴の外周に係止し、このゴムカバー３２の上部外周と当該位置のケーブルＣの外周にテーピング処理３３を施している。
【０００４】
また、当該ケーブルＣの先端に上記Ｔ型ケーブル端子３６を設け、このＴ型ケーブル端子３６を機器３７の接続端子３７ａに接続し、上記テーピング処理３３を施したケーブルＣの上方で、外箱Ｂのフレームに両端を固定したケーブルクリートＤを用いて三相並んだ各ケーブルＣを支持固定している。さらに、各床板３１の下面周囲又は周囲の一部にパッキン３５を取り付けて、床板３１同士間、また、床板３１とベース１６上面開口面の前端縁や側端縁との間隙を塞いでいる。
【特許文献１】特開平１１−２９９０１７号公報
【発明の開示】
【発明が解決しようとする課題】
【０００５】
しかしながら、使用されるケーブルクリートＤのケーブル受け側とケーブル押え側のケーブル把持面の厚みが一定のため、支持固定するケーブルＣのサイズ（外径）によって、ケーブルＣの中心位置が変わり、ケーブルクリートＤに支持されたケーブルＣの中心位置と、機器３７のケーブル接続端子３７ａと接続したＴ型ケーブル端子３６の中心位置にずれが生じた場合、当該機器３７のケーブル接続端子３７ａ及びＴ型ケーブル端末３６にストレスを与える。
また、Ｔ型ケーブル端末３６においては、当該Ｔ型ケーブル端末３６の接続部分を、機器３７側の銅製のケーブル接続端子３７ａに銅製のねじ１本で締め付ける構造を採っているため、当該Ｔ型ケーブル端末３６の接続部分の取り付け穴と当該機器３７のケーブル接続端子３７ａの雌ねじ穴にずれが生じるとねじの齧りが生じ易く、万一齧りが生じた場合、その修復に多大な労力と時間を要していた。
そして、上記ストレスを緩和するため、また、上記ねじの齧りを生じさせないために、当該機器３７のケーブル接続端子３７ａの位置とケーブルクリートＤの位置をある程度離隔させ、芯ずれを緩和させる必要があった。
【０００６】
さらに、上記ゴムカバー３２の上部外周とケーブルＣの外周間のテーピング処理３３のための作業空間が必要であるので、床板３１とケーブルクリートＤはある程度以上は接近させることが出来ず、その結果、機器３７の取り付け位置は上がることになり、外箱Ｂの高さが高くなるか、又は他の関連基材を収納するスペースが小さくなっていた。
【０００７】
一方、Ｔ型ケーブル端末３６の接続部分とケーブルクリートＤとの離隔が大きい場合、細ものケーブルの場合は上記接続部分が一点止めであり、ケーブルクリートＤのケーブル貫通孔の内径を当該ケーブルクリートＤで支持するケーブルの最大のものの外径に合わせた内径としているので、当該細ものケーブルの場合、短絡電流通電時の電磁反発力による回転を防止するためケーブルクリートＤの他に、さらに、ケーブル端末絶縁筒部相間に嵌め込み、三相一括にバンドで締め付ける振れ止め用のスペーサー３９を使用する必要があった。
【０００８】
また、外箱Ｂのベース１６上面の開口面には、下面にパッキンを備えた多数の床板３１を敷き詰めて床板３１間の隙間を塞ぐ構造としているが、ケーブルＣのずれ等で完全に隙間を塞ぐことは出来ず、その隙間から地下の湿気が外箱内に侵入し、結露を発生させ、当該外箱Ｂの内部に収納された機器３７の劣化を早めていた。その為、特に、結露が問題となる機器においては、床板３１上全面にシール材を流し込み、隙間を無くし、結露防止を図っていたが、シール材は短時間で凝固するので後日空き回路へのケーブルＣの追加接続時、既設ケーブルの相入れ替え時、又は張り替え時にはその部分のシール材を剥がし、作業後再度シール材を流し込み修復する必要があるので作業時間と経費がかかっていた。
【０００９】
さらに、床板３１はケーブルＣの貫通穴を中心に回路毎に、また、前後に分割されているので、床板押さえ金具２２が背面側、側面側にも必要となっていた。
【００１０】
そこで、この発明は、ケーブルをしっかりと挟持固定出来、従来の、床板のケーブル貫通穴とケーブルとの間隙を塞ぐゴムカバーとを一体化させ、さらに、一部の床板の構成を有し、Ｔ型ケーブル端末の高さを下げることが出来るようにしたケーブルクリートを提供するものである。
【課題を解決するための手段】
【００１１】
請求項１の発明は、路上に設置される電力配電用機器収納用の外箱内で地中から立ち上げられたケーブルを前後で挟んで固定するケーブルクリートにおいて、上記ケーブルを前側から押えつけるものをクリート前側体とし、後側で当該ケーブルを受けるものをクリート後側体として設け、上記クリート前側体の正面の下部を前方へ一定長延伸させて扁平な平面略四角形状の床板部として設け、上記外箱内下部のベースの開口した上面上であって当該外箱のフレームの左右の下部に水平に渡して設けられた細長の板状部材から後側の開口面を別設の板体で閉鎖し、当該板状部材より前側の開口面から三本のケーブルを横並びに立ち上げる。
【００１２】
上記水平に渡された板状部材の正面に、上記クリート後側体の背面を当て、当該クリート後側体の内面側に横並びに３個設けられた半円筒形状のケーブル貫通孔に、上記立ち上げた三本のケーブルの後側部を嵌め入れ、当該各ケーブルの前側部に上記クリート前側体の内面側に横並びに３個設けられた半円筒形状のケーブル貫通孔を押し当て、当該クリート前側体、クリート後側体及び上記板状部材をボルト、ナットにより一体に締め付けて当該各ケーブルを当該クリート後側体及びクリート前側体の各半円筒形状のケーブル貫通孔の内周に密着させて挟持固定し、当該クリート前側体の床板部の先端縁を上記ベースの前側の開口面の前端縁上に係止固定して当該開口面を閉鎖し、当該外箱内の機器収納スペースを密閉するケーブルクリートとした。
【００１３】
請求項２の発明は、上記ケーブルクリートの各ケーブル貫通孔に各ケーブルを嵌め入れる際に、当該ケーブルの外周に円筒形状のスペーサーを被覆し、当該スペーサーを介して上記ケーブルクリートのケーブル貫通孔にケーブルを嵌め入れ、さらに、径が異なる複数種のスペーサーを用意し、上記ケーブルクリートの各ケーブル貫通孔の内周と各ケーブルとの外周の間隙に応じて上記スペーサーを上記ケーブルの外周に単独又は複数重ねて被覆して上記ケーブルクリートによってケーブルを挟持固定する上記請求項１に記載のケーブルクリートとした。
【００１４】
請求項３の発明は、上記クリート前側体の床板部の上面に前端縁、及び左右端縁を残して平面略四角形状の凹部を設け、当該ケーブルクリートによってケーブルを挟持固定し、当該ケーブルクリートのクリート前側体の床板部によって上記ベースの前側の開口面を閉鎖する際、当該床板部の上面の凹部に別途設けた平面略四角形状の金属板を嵌合する上記請求項１又は２の何れかに記載のケーブルクリートとした。
【００１５】
請求項４の発明は、上記クリート前側体の左右側面の下部及び床板部の左右側面の下部に水平に連続した突条を夫々設け、当該クリート前側体の水平な突条に連続して、上記クリート後側体の左右側面の下部に水平な突条を夫々設け、上記外箱内で上記ケーブルクリートを複数使用して三相のケーブルを複数組挟持固定し、当該ケーブルクリートで上記ベース上面の開口面を閉鎖した際、隣接する各ケーブルクリート間の間隙を、当該各ケーブルクリートの各側面の水平な各突条が接触して相互に押圧し合って閉鎖し、また、上記ベースの開口面の左右側端縁と上記ケーブルクリートの各側面との間隙を、当該ケーブルクリートの水平な各突条が当該ベース上面の左右側端縁上に係止されて閉鎖する上記請求項１、２又は３の何れかに記載のケーブルクリートとした。
【発明の効果】
【００１６】
請求項１の発明によれば、外箱内の床板の位置で、ケーブルクリートのケーブル貫通孔の内周とケーブルの外周に間隙が出来ないようにしてケーブルを挟持固定するので、当該ケーブルがしっかりと支持出来、当該ケーブルを常にケーブル貫通孔の中心に位置させることが出来、Ｔ型等のケーブル端子と機器側ケーブル接続端子の接合面がずれることがない。それ故、機器のケーブル側ブッシング、ケーブル端末にかかるストレスを低減出来る。また、当該ケーブル貫通孔内に間隙を発生させず、ベースの開口面を確実に密閉出来るので、床板のケーブル貫通孔とケーブルとの隙間を塞ぐゴムカバーの被覆及びテーピング処理等の作業を省略出来、これらの作業空間が不要となる。その結果、ケーブルクリートの位置を床板レベルまで下げることが出来、外箱の高さを低減出来る。また、外箱の高さを変えない場合、他の関連機材の収納スペースをより大きく取ることが出来る。
【００１７】
また、ケーブルクリートに密閉性を有する床板部を設けたので、その分、従来のパッキンを備えた床板が不要となり、床板押さえ金具も不要と成り、さらに、シール材の流し込みも不用となる。その結果、外箱内に立ち上げられたケーブルの挟持固定作業が簡単で時間を省略して出来る。
【００１８】
請求項２の発明によれば、外箱内で立ち上げられたケーブルにスペーサーを被覆してケーブルクリートで挟持固定しているので、このケーブルを常に当該ケーブルクリートのケーブル貫通孔の中心に位置させることが出来、また、当該ケーブル貫通孔の内周とケーブルの外周に間隙を発生させないのでベースの開口面を確実に密閉出来る。よって、ケーブルのサイズに関わらず、当該ケーブルクリートを使用してケーブルを安定して中心位置に挟持固定することが出来るので、Ｔ型等のケーブル端子と機器側ケーブル接続端子の接合面がずれることがなく、ケーブルクリートの位置を床板レベルまで下げることが出来、外箱の高さを低減出来る。
【００１９】
また、当該ケーブルクリートに挟持固定されたケーブルはスペーサーで被覆されているため動くことが出来ないので、Ｌ型ケーブル端末、Ｔ型ケーブル端末においては、短絡電流通電時の電磁反発力対策を省略出来る。さらに、径が異なる複数種のスペーサーを用意し、上記ケーブルクリートの各ケーブル貫通孔の内周と挟持固定する各ケーブルとの外周の間隙に応じて上記スペーサーを上記ケーブルの外周に重ねて被覆し、当該各ケーブルを当該各ケーブルクリートのケーブル貫通孔の中心に位置させて当該各ケーブル貫通孔の内周と当該各ケーブルの外周に間隙が出来ないようにしたので、例え、ケーブルの外径が様々なものであっても、適合した径のスペーサー又は径の異なる複数種のスペーサーを組み合わせて使用することにより、容易に対応することが出来る。
【００２０】
請求項３の発明によれば、上記クリート前側体の前部の床板部に平面略四角形状の凹部を設け、当該凹部に平面略四角形状の金属板を嵌合して当該外箱内の機器収納スペースをより強固に密閉することが出来るので、ベース上面の開口面における、前面や側面の隣接面の密閉度を上げることが出来る。その結果、当該ケーブルクリートの信頼性を高くするものである。
【００２１】
また、請求項４の発明によれば、上記外箱内で上記ケーブルクリートを使ってケーブルを挟持固定した際、隣接するケーブルクリート間の間隙には当該各ケーブルクリートの各側面の水平な各突条が接触して相互に押圧し合って閉鎖し、また、ケーブルクリートの一側面の水平な突条が上記ベース上部の一側端縁上に係止されて当該ベースの開口面の左右側端縁との間隙を閉鎖するので、これらの間隙の密閉度を、さらに、上げることが出来る。
【発明を実施するための最良の形態】
【００２２】
路上に設置される電力配電用機器収納用の外箱内で地中から立ち上げられたケーブルを前後で挟んで固定するケーブルクリートにおいて、上記ケーブルを前側から押えつけるものをクリート前側体とし、後側で当該ケーブルを受けるものをクリート後側体として設け、上記クリート前側体の正面の下部を前方へ一定長延伸させて扁平な平面略四角形状の床板部として設け、上記外箱内下部のベースの開口した上面上であって当該外箱のフレームの左右の下部に水平に渡して設けられた細長の板状部材から後側の開口面を別設の板体で閉鎖し、当該板状部材より前側の開口面から三本のケーブルを横並びに立ち上げ、当該各ケーブルの、上記ベースの上面付近に位置する個所の外周に、別途設けた円筒形状のスペーサーを被覆する。
【００２３】
上記水平に渡された板状部材の正面に、上記クリート後側体の背面を当て、当該クリート後側体の内面側に横並びに３個設けられた半円筒形状のケーブル貫通孔に、上記スペーサーを介して上記立ち上げた三本のケーブルの後側部を夫々嵌め入れ、当該各ケーブルの前側部に上記スペーサーを介して上記クリート前側体の内面側に横並びに３個設けられた半円筒形状のケーブル貫通孔を夫々押し当て、当該クリート前側体、クリート後側体及び上記板状部材をボルト、ナットにより一体に締め付けて当該各ケーブルを挟持固定し、当該クリート前側体の床板部の先端縁を上記ベースの前側の開口面の前端縁上に係止固定して当該開口面を閉鎖し、当該外箱内の機器収納スペースを密閉する。
【００２４】
これらにより、外箱内の床板部分において、ケーブルを挟持固定するので、従来のゴムカバーの被覆及びテーピング処理等の作業を省略出来、これらの作業空間が不要となる。その結果、Ｔ型ケーブル端末の高さを下げることが出来る。
【実施例１】
【００２５】
以下、この発明の実施例を図に基づいて説明する。
図２は、この発明の実施例のケーブルクリートを形成するクリート前側体とクリート後側体を合わせた状態の正面図であり、図３は、同平面図である。
この発明の実施例のケーブルクリートＡは、これらの図に示すように、ゴム製又は樹脂製で横長直方体形状の本体１から概ね成り、この本体１の上面から下面に至るケーブル貫通孔２を横並びに等間隔で三個設け、これらの三個の各ケーブル貫通孔２の各間であって、当該本体１の正面から背面に至るボルト孔３を二個設けている。そして、この本体１を平面長手方向の略二等分線１ａで前後に二分割して、そのうち前側をクリート前側体４、後側をクリート後側体５として設けている。
【００２６】
図４は、ケーブルクリートＡを形成するクリート前側体４の正面図であり、図５は、同平面図であり、図６は、同側面図であり、図７は、同背面図であり、図８は、同縦断面図である。
これらの図に示すように、このクリート前側体４の正面側の上端縁を左端から右端にかけて前方に一定幅を突出させて水平な突出部６として設け、また、このクリート前側体４の左右側面の下部を一定長水平方向に突出させて突出部７として夫々設け、この左右側面に各突出部７を設けた状態で、正面側の下部を左端から右端にかけて前方へ一定長延伸させて扁平な平面略四角形状の床板部８を形成しており、この床板部８の前端縁の左端から右端に至る部分を垂直に立ち上げ、さらに、一定長前方へ延ばして係止片９としている（図８参照）。
【００２７】
この係止片９の先端縁の下面には、この先端縁に沿って下向きの突条９ａを設けている。また、このクリート前側体４の床板部８の上面には前端縁及び左右端縁を残して横長長方形状の凹部１０を設けている。また、このクリート前側体４の左右側面の各突出部７及びこの床板部８の各側面の一部に水平に連続した突条７ａを夫々設けている。また、このクリート前側体４の背面には、上記ケーブル貫通孔２を形成する半円筒形状のケーブル貫通孔２ａを三個設けている。
【００２８】
図９は、ケーブルクリートＡを形成するクリート後側体５の正面図であり、図１０は、同平面図であり、図１１は、同側面図であり、図１２は、同背面図である。
上記図１２に示すように、上記クリート後側体５の背面側の上端縁を左端から右端にかけて後方に一定幅を突出させて水平な突出部１１として設け、また、このクリート後側体５の左右側面の下部及び背面側の下部を一定長水平方向に突出部させて連続した突出部１２を設け、このクリート後側体５の左右側面の突出部１２の各側面の一部に水平に連続した突条１２ａを夫々設けている。このクリート後側体５と上記クリート前側体４を合わせた際、これらのクリート前側体４の突条７ａとクリート後側体５の突条１２ａは連続した水平な突条となるように位置を合わせて設けられている。また、このクリート後側体５の正面には、上記ケーブル貫通孔２を形成する半円筒形状のケーブル貫通孔２ｂを三個設けている。
【００２９】
さらに、図１３は、クリート前側体４とクリート後側体５を合わせてケーブルＣを挟持した後、これらに被せるクリート押さえ金具１４の斜視図である。この図に示すように、別途、平面略コの字型のクリート押さえ金具１４を設け、このクリート押さえ金具１４の中央面１４ａには二つのボルト孔１４ｂを設け、左右は屈曲させた左右側面としている。
【００３０】
また、図１４は、ケーブルクリートＡのケーブル貫通孔２に使用する最大ケーブルサイズより小さい外径を有するケーブルＣに被覆するスペーサー１５の縦断面図であり、図１５は、同平面図であり、図１６は、このスペーサーを大小二つ重ねた状態の斜視図である。これらの図に示すように、スペーサー１５は、ケーブルサイズに合わせた内径を有する円筒形状で側面の一部が上端から下端に渡って切断されている。この様なスペーサー１５を一つ又は複数、径の異なるものを用意する。
【００３１】
次に、このケーブルクリートＡを使用して、路上に設置された電力配電用機器収納用の外箱Ｂ内において、立ち上げられたケーブルＣを挟持固定し、ベース１６上面の開口面を閉鎖密閉する。
図１は、この実施例のケーブルクリートＡを使用してケーブルＣを挟持固定した状態を示す外箱Ｂ内の一部断面図である。この図に示すように、外箱Ｂは、チャネル状の鋼板を平面四角形状に回して形成されたベース１６の上に設けられている。このベース１６の上面は四方の周囲の端縁を除いて開口面となっており、このベース１６の開口した上面上であって、この外箱Ｂのフレームの左右の下部に、アングル状の細長の鋼板１７をその一側面を垂直（垂直片１７ａ）にして水平に渡して両端部を溶接して固定している。
【００３２】
ベース１６の上面のこの鋼板１７から後側の開口面を四角形状の鋼板から成る床板１８で閉鎖して密閉し、ベース１６の上面の前側の開口面の、上記鋼板１７の直前の位置で三本のケーブルＣを横並びに立ち上げる。
図１７は、ケーブルクリートＡを使用してケーブルＣを挟持固定した状態を示す外箱Ｂ内の一部拡大縦断面図である。この図に示すように、これらの各ケーブルＣの、上記ベース１６の上面付近に位置する個所の外周に、スペーサー１５を自身の切断面を開いて被覆する。そして、図１では、最大外径のケーブルの場合を示し、最大外径のケーブルの場合は、その外径が、上記ケーブルクリートＡのケーブル貫通孔２の内径と一致しており、当該ケーブルの外周面とケーブル貫通孔２の内周面が密接しているため、上記スペーサー１５は使用していない。また、図１７では、大小二つのスペーサー１５を重ねて使用している状態を示している。この様に、ケーブルクリートＡのケーブル貫通孔２の内周と挟持固定するケーブルＣの外周の間に出来る間隙の大きさによって、当該ケーブルＣに被覆するスペーサー１５は１個から数個決定する。
【００３３】
そして、水平に渡された鋼板１７の垂直片１７ａの正面の一部に、上記クリート後側体５の背面の上下の突出部１１、１２の間の凹面を当て、このクリート後側体５の正面側の半円筒形状の各ケーブル貫通孔２ｂに、上記立ち上げた三本のケーブルＣの後側部を上記スペーサー１５を被覆した状態で夫々嵌め入れ、当該各ケーブルＣの前側部に上記スペーサー１５を被覆した状態で上記クリート前側体４の半円筒形状の各ケーブル貫通孔２ａを夫々嵌め入れて押し当てる。
【００３４】
この状態で、さらに、クリート前側体４の正面側の上部の突出部６と床板部８との間の凹面に、上記クリート押さえ金具１４をその中央面１４ａから当てて当該クリート押さえ金具１４の内側に、ケーブルＣを挟持して一体と成ったクリート前側体４とクリート後側体５を嵌め入れ、当該クリート押さえ金具１４の中央面に設けられた二つのボルト孔１４ｂからボルト１９を夫々挿入し、上記クリート前側体４とクリート後側体５の二つのボルト孔３を経て、上記鋼板１７に予め設けられた二つの貫通孔（図示省略）を通して当該鋼板１７の背面でナット２０を夫々螺着して当該クリート前側体４とクリート後側体５を締め付けて当該各ケーブルＣを挟持し、当該鋼板１７に固定する。
【００３５】
そして、上記クリート前側体４の床板部８の係止片９を、図１７に示すように、上記ベース１６上部の前端縁上に係止し、さらに、当該クリート前側体４の床板部８の凹部１０に、図１８乃至図２０に示す、平面略四角形状の金属板２３を嵌合する。図１８は、クリート前側体４の凹部１０に嵌合する金属板３の正面図であり、図１９は、同平面図であり、図２０は、同側面図である。この金属板２３は、平面略四角形状であって、後側の両角部を切り欠き、左右の両側端縁２３ａを若干夫々立ち上げ、前側端縁を垂直に立ち上げ、さらに、そのまま一定長延ばして係止片２３ｂを形成している。この金属板２３をクリート前側体４の床板部８の凹部１０に嵌め込んで、ベース１６の前側の開口面の前面及び側面をより強力に閉鎖し密閉する。この時、床板部８の係止片９は、ベース１６上部の前端縁上に係止されており、金属板２３の係止片２３ｂは、床板部８の係止片９の上にあって係止されている。
【００３６】
そして、上記図１７及びこの図２１に示すように、係止片９と係止片２３ｂの上から、また、ベース１６上部の前端縁上に溶接して設けられているアングル状のフレーム２１の水平片２１ａの上から床板押さえ金具２２を重ね、この床板押さえ金具２２に設けられた貫通孔から、ねじ２２ａを入れて水平片２１ａに設けられたねじ孔２１ｂまで通し、その後、ねじ２２ａを締め付けてこの金属板２３と床板部８をベース１６とフレーム２１に固定する。これにより、ベース１６上面の開口面の前面や側面の隣接面を閉鎖して密閉する。ここで、図２１は、ケーブルクリートＡを使用してケーブルＣを挟持固定した状態を示す外箱Ｂ内の一部横断面図である。
【００３７】
また、図２２は、ケーブルクリートＡを使用してケーブルＣを挟持固定した状態を示す外箱Ｂ内の一部縦断面図であるが、この時、隣接するケーブルクリートＡ間には、この図２２に示すように、これらの各ケーブルクリートＡの各側面の連続した水平な各突条７ａ、又は１２ａが相互に接触して押圧し合っており、また、このケーブルクリートＡの側面の水平な突条７ａ、又は１２ａが上記ベース１６上部の側端縁に係止されてベース１６上面の開口面の左右側端縁を閉鎖している。そして、上記床板部８の凹部１０に金属板２３を嵌め込む事により、より強力にベース１６上面の開口面を密閉する。
【００３８】
このケーブルクリートＡのケーブル貫通孔２の内径と挟持固定するケーブルＣのサイズ（外径）の相違があっても、ケーブルＣの外周にスペーサー１５を被覆してケーブルクリートＡに挟持固定するので、ケーブル貫通孔２の内径とケーブルＣの外径との間に間隙が出来ず、また、ケーブル貫通孔２の中心にケーブルＣを安定して位置させることが出来るので、以下の効果が得られる。
【００３９】
ケーブルＣがケーブルクリートＡにしっかりと挟持固定され、Ｔ型等のケーブル端子と機器３７側のケーブル接続端子３７ａの接合面がずれることがなく、常に当該接合面を一定の位置に保つことが出来、ケーブルクリートＡの位置を床板レベルまで下げることが出来る。その結果、外箱Ｂの高さを低減出来る。また、外箱Ｂの高さを変えない場合、他の関連機材の収納スペースを確保出来る。また、当該機器３７のケーブル接続端子３７ａ及びＴ型ケーブル端末３６にかかる局部的ストレスを低減出来る。さらに、Ｌ型ケーブル端末、Ｔ型ケーブル端末においては、短絡電流通電時の電磁反発力対策を省略出来る。また、床板のケーブル貫通穴とケーブルＣとの隙間を塞ぐゴムカバーの被覆及びテーピング処理等の作業を省略出来、さらに、ケーブル端末絶縁筒部相間に嵌め込み、三相一括にバンドで締め付ける振れ止め用のスペーサー３９の使用も不要となる。
【００４０】
クリート前側体４に床板部８を設けて、従来のパッキンを備えた床板３１の役目をさせるので、床板の取り付け取り外しの順序は不要となり、ケーブルＣの相入れ替え、追加、撤去時、当該回路のクリート前側体４を外すだけで作業が出来る。また、床板押さえ金具２２の使用数量を減らすことが出来、その分手間を省くことが出来る。
【００４１】
さらに、クリート前側体４及びクリート後側体５の左右の側面に夫々左右方向に突出した突出部７、１２を設け、これらの突出部７、１２に突条７ａ、１２ａを設けているので、ケーブルクリートＡを隣接して設置した際、これらの突条７ａ、又は１２ａが強く相互に押圧しあって、ベース１６の開口面をより強く密閉することが出来る。
【００４２】
クリート前側体４の床板部８の凹部１０に金属板２３を嵌め込んで、ベース１６上面の開口面に嵌め入れて押さえることにより、以下の効果が得られる。
ベース１６上面の開口面における、前面や側面等の隣接面の密閉度を上げることが出来、また、当該ケーブルクリートＡを作成する材料であるゴム又は樹脂の量を削減出来る。また、地中からの外箱Ｂ内への小動物の侵入をより確実に防止出来る。さらに、クリート前側体４の床板部８によって、ベース１６上面の開口部の一部を密閉しているので、床板製作時の板金加工を簡素化し、一部を省略出来、また、ケーブルクリートＡをゴム製又は樹脂製としたこととも相俟って、床板製作時のパッキン取り付け作業を省略することが出来る。床板は全回路互換性を有しており、また、取り付け位置は自動的に決るので作業者による個人差が出にくく、常に一定の状態で密閉出来る。
【００４３】
さらに、当該ケーブルクリートＡがゴム製又は樹脂製であり、クリート前側体４に床板部８を設けたので、従来のように、パッキン３５を備えた床板３１を使用しなくて済み、当該床板３１の取り付け取り外しの順序は不要となり、ケーブルＣの相入れ替え、追加、撤去時、当該回路のクリート前側体４を外すだけで容易に作業が出来、また、金属板２３を凹部１０に嵌め込むことにより電磁波の影響を抑制出来る。
【００４４】
なお、上記実施例において、ケーブルＣをケーブルクリートＡによって挟持固定する際、スペーサー１５を当該ケーブルＣの外周に被覆し、その後、ケーブルクリートＡで挟持固定しているが、ケーブルＣの外径とケーブルクリートＡのケーブル貫通孔２の内径が合い、ケーブル貫通孔２の内周とケーブルＣの外周に隙間が生ぜず、ケーブルＣがケーブル貫通孔２内で確実に挟持固定されるときには、スペーサー１５をケーブルＣに被覆する必要はない。
【００４５】
また、上記実施例においては、ケーブルクリートＡの各ケーブル貫通孔２にケーブルＣを挟持固定する際、当該ケーブル貫通孔２内の中心にケーブルＣを位置させるため、また、当該ケーブル貫通孔２の内周と当該ケーブルＣの外周との間に間隙が出来ないようにするために、大小二つのスペーサー１５をケーブルＣに被覆しているが、使用するスペーサー１５は二つに限らず、上記目的を満足するものであれば必要な大きさのもの又は数量を使用すればよい。
【００４６】
ケーブルクリートＡをクリート前側体４、上記クリート後側体５及び略コの字型のクリート押さえ金具１４によって形成し、このクリート押さえ金具１４の内側にケーブルＣを挟持したクリート前側体４とクリート後側体５に被せてボルト１９とナット２０で締め付けてケーブルＣを挟持固定しているが、このクリート押さえ金具１４は略コの字型に限定するものではなく、平板形状でも良い。
【００４７】
また、このケーブルクリートＡを外箱Ｂのフレームに固定するのに、アングル状の鋼板１７を外箱Ｂ内の下部に渡し、この鋼板１７の垂直片１７ａに固定しているが、このケーブルクリートＡをフレームに固定するのはアングル状の鋼板１７に限らず、このケーブルクリートＡを固定できる部材を有するものであれば他のものでも良い。
【００４８】
このクリート前側体４の床板部８の上面に凹部１０を設け、この凹部１０内に金属板２３を嵌め入れて上記ベース１６の開口面を密閉する構成としているが、上記床板部８の係止片９や側端縁によって、充分に密閉出来る場合、必ずしも、これらの凹部１０や金属板２３を設けなくてもよい。
【図面の簡単な説明】
【００４９】
【図１】この発明の実施例のケーブルクリートを使用してケーブルを挟持固定した状態を示す外箱内の一部縦断面図である。
【図２】この発明の実施例のケーブルクリートを形成するクリート前側体とクリート後側体を合わせ、これらの上からクリート押え金具を被せた状態の正面図である。
【図３】この発明の実施例のケーブルクリートを形成するクリート前側体とクリート後側体を合わせ、これらの上からクリート押え金具を被せた状態の平面図である。
【図４】この発明の実施例のケーブルクリートを形成するクリート前側体の正面図である。
【図５】この発明の実施例のケーブルクリートを形成するクリート前側体の平面図である。
【図６】この発明の実施例のケーブルクリートを形成するクリート前側体の側面図である。
【図７】この発明の実施例のケーブルクリートを形成するクリート前側体の背面図である。
【図８】この発明の実施例のケーブルクリートを形成するクリート前側体の縦断面図である。
【図９】この発明の実施例のケーブルクリートを形成するクリート後側体の正面図である。
【図１０】この発明の実施例のケーブルクリートを形成するクリート後側体の平面図である。
【図１１】この発明の実施例のケーブルクリートを形成するクリート後側体の側面図である。
【図１２】この発明の実施例のケーブルクリートを形成するクリート後側体の背面図である。
【図１３】この発明の実施例のケーブルクリートを形成するクリート押さえ金具の斜視図である。
【図１４】この発明の実施例のスペーサーの縦断面図である。
【図１５】この発明の実施例のスペーサーの平面図である。
【図１６】この発明の実施例のスペーサーを大小二つ重ねた状態の斜視図である。
【図１７】この発明の実施例のケーブルクリート及びスペーサーを使用してケーブルを挟持固定した状態を示す外箱内の一部拡大縦断面図である
【図１８】この発明の実施例のケーブルクリートを形成するクリート前側体の凹部に嵌合する金属板の正面図である。
【図１９】この発明の実施例のケーブルクリートを形成するクリート前側体の凹部に嵌合する金属板の平面図である。
【図２０】この発明の実施例のケーブルクリートを形成するクリート前側体の凹部に嵌合する金属板の側面図である。
【図２１】この発明の実施例のケーブルクリートを使用してケーブルを挟持固定した状態を示す外箱内の一部横断面図である
【図２２】この発明の実施例のケーブルクリートを使用してケーブルを挟持固定した状態を示す外箱内の一部縦断面図である。
【図２３】従来例のケーブルクリートを使用してケーブルを挟持固定した状態を示す外箱内の一部縦断面図である。
【符号の説明】
【００５０】
Ａ    ケーブルクリート                  Ｂ    外箱
Ｃ    ケーブル
２    ケーブル貫通孔                    ３    ボルト孔
４    クリート前側体                    ５    クリート後側体
７ａ  突条                              ８    床板部
９    係止片                          １０    凹部
１２ａ  突条                            １５    スペーサー
１６    ベース                          １７    鋼板
１８    床板                            １９    ボルト
２０    ナット                          ２３    金属板
【図１】
2008005578.tif 000003
【図２】
2008005578.tif 000004
【図３】
2008005578.tif 000005
【図４】
2008005578.tif 000006
【図５】
2008005578.tif 000007
【図６】
2008005578.tif 000008
【図７】
2008005578.tif 000009
【図８】
2008005578.tif 000010
【図９】
2008005578.tif 000011
【図１０】
2008005578.tif 000012
【図１１】
2008005578.tif 000013
【図１２】
2008005578.tif 000014
【図１３】
2008005578.tif 000015
【図１４】
2008005578.tif 000016
【図１５】
2008005578.tif 000017
【図１６】
2008005578.tif 000018
【図１７】
2008005578.tif 000019
【図１８】
2008005578.tif 000020
【図１９】
2008005578.tif 000021
【図２０】
2008005578.tif 000022
【図２１】
2008005578.tif 000023
【図２２】
2008005578.tif 000024
【図２３】
2008005578.tif 000025